(57)【要約】      （修正有）【課題】ユーザが簡単に利用することができる商品購入システムを提供する。【解決手段】商品購入システム１は、端末装置１０とショッピングサイトを運営するサイト運営サーバ３０とを備える。端末装置１０は、ＩＣカード等である記録媒体４０から、サイト運営サーバ３０にアクセスするためのＵＲＬと媒体識別情報とを読み取り、ＵＲＬにしたがってサイト運営サーバ３０にアクセスし、媒体識別情報をサイト運営サーバ３０に送信する。サイト運営サーバ３０は、端末装置１０から受信した媒体識別情報に基づいて、ショッピングサイトの表示内容を決定し、決定された表示内容のショッピングサイトを端末装置１０に提供する。【選択図】図１
2018147291.tif 000002
【特許請求の範囲】
【請求項１】
端末装置と、ショッピングサイトを運営するサイト運営サーバと、を備える商品購入システムであって、
前記端末装置は、
記録媒体から、前記サイト運営サーバにアクセスするためのアクセス情報と媒体識別情報とを読み取る読取部と、
前記アクセス情報にしたがって前記サイト運営サーバにアクセスし、前記媒体識別情報を前記サイト運営サーバに送信する送信部と、を備え、
前記サイト運営サーバは、
前記端末装置から受信した前記媒体識別情報に基づいて、前記ショッピングサイトの表示内容を決定する表示内容決定部と、
前記表示内容決定部により決定された表示内容の前記ショッピングサイトを前記端末装置に提供するサイト提供部と、を備える、
商品購入システム。
【請求項２】
前記サイト運営サーバは、前記端末装置から購入を指示された商品を、受信した媒体識別情報に基づいて判別した配送先に配送するための処理を実行する配送部をさらに備える、
請求項１に記載の商品購入システム。
【請求項３】
前記配送部は、前記商品が、前記記録媒体の所持者であるユーザによる旅行の帰りの便が出発する施設に出発予定時間の所定時間前に到着するように、又は前記商品が、前記旅行の最終日に前記ユーザが宿泊する施設又は指定した場所に到着するように配送するための処理を実行する、
請求項２に記載の商品購入システム。
【請求項４】
前記サイト運営サーバは、前記端末装置から購入を指示された商品を決済するための処理を、受信した前記媒体識別情報に基づいて判別した決済方法により実行する決済部をさらに備える、
請求項１から３の何れか１項に記載の商品購入システム。
【請求項５】
前記決済部は、商品を電子マネーで決済する場合、該電子マネーの種類を判別し、判別した種類に応じた決済サイトに前記端末装置をアクセスさせる、
請求項４に記載の商品購入システム。
【請求項６】
前記記録媒体には複数のアクセス情報が記憶されており、
前記送信部は、前記複数のアクセス情報の中からユーザが指定したアクセス情報にしたがって前記サイト運営サーバにアクセスする、
請求項１から５の何れか１項に記載の商品購入システム。
【請求項７】
中継サーバをさらに備え、
前記送信部は、前記中継サーバを介して前記サイト運営サーバにアクセスする、
請求項１から６の何れか１項に記載の商品購入システム。
【請求項８】
ショッピングサイトを運営するサイト運営サーバであって、
端末装置から受信した、該端末装置が記録媒体から読み取った媒体識別情報に基づいて、前記ショッピングサイトの表示内容を決定する表示内容決定部と、
前記表示内容決定部により決定された表示内容の前記ショッピングサイトを前記端末装置に提供するサイト提供部と、を備える、
サイト運営サーバ。
【請求項９】
ショッピングサイトを運営するコンピュータを、
端末装置から受信した、該端末装置が記録媒体から読み取った媒体識別情報に基づいて、前記ショッピングサイトの表示内容を決定する表示内容決定部、
前記表示内容決定部により決定された表示内容の前記ショッピングサイトを前記端末装置に提供するサイト提供部、
として機能させるプログラム。
【発明の詳細な説明】
【技術分野】
【０００１】
本発明は、インターネットなどのネットワークを介して商品を購入することができる商品購入システム、サイト運営サーバ、及び、プログラムに関する。
【背景技術】
【０００２】
ユーザがＰＣ（Personal Computer）やスマートフォン等の端末装置を操作してインターネット上の仮想店舗から商品を購入することができる商品購入サービスが普及している（例えば、非特許文献１参照）。
【先行技術文献】
【非特許文献】
【０００３】
【非特許文献１】Yahoo!ショッピングホームページ（http://shopping.yahoo.co.jp/）
【発明の概要】
【発明が解決しようとする課題】
【０００４】
このような商品購入サービスを利用する場合、ユーザは、端末装置を操作してＵＲＬ（Uniform Resource Locator）を入力して所定のサイトにアクセスし、サイトの画面から各種の情報を入力する必要があり面倒である。本発明は上記実情に鑑みてなされたものであり、従来よりもユーザが容易に商品購入サービスを利用することができる商品購入システム、サイト運営サーバ、及び、プログラムを提供することを目的とする。
【課題を解決するための手段】
【０００５】
上記目的を達成するため、本発明の第１の観点に係る商品購入システムは、
端末装置と、ショッピングサイトを運営するサイト運営サーバと、を備える商品購入システムであって、
前記端末装置は、
記録媒体から、前記サイト運営サーバにアクセスするためのアクセス情報と媒体識別情報とを読み取る読取部と、
前記アクセス情報にしたがって前記サイト運営サーバにアクセスし、前記媒体識別情報を前記サイト運営サーバに送信する送信部と、を備え、
前記サイト運営サーバは、
前記端末装置から受信した前記媒体識別情報に基づいて、前記ショッピングサイトの表示内容を決定する表示内容決定部と、
前記表示内容決定部により決定された表示内容の前記ショッピングサイトを前記端末装置に提供するサイト提供部と、を備える。
【０００６】
前記サイト運営サーバは、前記端末装置から購入を指示された商品を、受信した媒体識別情報に基づいて判別した配送先に配送するための処理を実行する配送部をさらに備えてもよい。
【０００７】
前記配送部は、前記商品が、前記記録媒体の所持者であるユーザによる旅行の帰りの便が出発する施設に出発予定時間の所定時間前に到着するように、又は前記商品が、前記旅行の最終日に前記ユーザが宿泊する施設又は指定した場所に到着するように配送するための処理を実行してもよい。
【０００８】
前記サイト運営サーバは、前記端末装置から購入を指示された商品を決済するための処理を、受信した前記媒体識別情報に基づいて判別した決済方法により実行する決済部をさらに備えてもよい。
【０００９】
前記決済部は、商品を電子マネーで決済する場合、該電子マネーの種類を判別し、判別した種類に応じた決済サイトに前記端末装置をアクセスさせてもよい。
【００１０】
前記記録媒体には複数のアクセス情報が記憶されており、
前記送信部は、前記複数のアクセス情報の中からユーザが指定したアクセス情報にしたがって前記サイト運営サーバにアクセスしてもよい。
【００１１】
中継サーバをさらに備え、
前記送信部は、前記中継サーバを介して前記サイト運営サーバにアクセスしてもよい。
【００１２】
上記目的を達成するため、本発明の第２の観点に係るサイト運営サーバは、
ショッピングサイトを運営するサイト運営サーバであって、
端末装置から受信した、該端末装置が記録媒体から読み取った媒体識別情報に基づいて、前記ショッピングサイトの表示内容を決定する表示内容決定部と、
前記表示内容決定部により決定された表示内容の前記ショッピングサイトを前記端末装置に提供するサイト提供部と、を備える。
【００１３】
上記目的を達成するため、本発明の第３の観点に係るプログラムは、
ショッピングサイトを運営するコンピュータを、
端末装置から受信した、該端末装置が記録媒体から読み取った媒体識別情報に基づいて、前記ショッピングサイトの表示内容を決定する表示内容決定部、
前記表示内容決定部により決定された表示内容の前記ショッピングサイトを前記端末装置に提供するサイト提供部、
として機能させる。
【発明の効果】
【００１４】
本発明によれば、ユーザは、端末装置に記録媒体を読み取らせるだけで容易に商品購入サービスを利用することができる。
【図面の簡単な説明】
【００１５】
【図１】本発明の実施形態１に係る商品購入システムの全体構成を示す図である。
【図２】端末装置の構成を示すブロック図である。
【図３】記録媒体に格納されている情報の例を示す図である。
【図４】サイト運営サーバの構成を示すブロック図である。
【図５】会員ＤＢの構成例を示す図である。
【図６】本発明の実施形態に係る商品購入システムで実行される商品購入処理のフローチャートである。
【図７】商品検索画面の例を示す図である。
【図８】商品購入画面の例を示す図である。
【図９】本発明の実施形態２に係る商品購入システムの全体構成を示す図である。
【図１０】実施形態２の記録媒体に格納されている情報の例を示す図である。
【発明を実施するための形態】
【００１６】
以下、本発明の各実施形態について、図面を参照しながら詳細に説明する。なお、図中同一または相当部分には同一符号を付す。
【００１７】
（実施形態１）
本発明の実施形態１に係る商品購入システム１について説明する。商品購入システム１は、図１に示すように、端末装置１０と、この端末装置１０とインターネット２０を介して接続されるサイト運営サーバ３０と、を備える。商品購入システム１は、ユーザが、インターネット２０を介して、端末装置１０から商品を購入することができる商品購入サービスを提供するシステムである。
【００１８】
なお、インターネット２０には、店舗システム５０と決済システム６０と配送システム７０も接続されている。店舗システム５０は、商品購入システム１で扱う商品の販売元である店舗の管理システムである。決済システム６０は、商品購入システム１で購入された商品の決済を行うためのシステムであり、例えば、クレジットカード会社や銀行などの管理システムである。配送システム７０は、商品購入システム１で購入された商品の配送を行うためのシステムであり、例えば、郵便局や宅配業者の管理システムである。なお、図１では店舗システム５０と決済システム６０と配送システム７０は１つずつ示されているが、実際には複数の店舗システム５０と決済システム６０と配送システム７０が存在する。
【００１９】
端末装置１０は、ユーザが商品を購入するために操作する端末であり、例えば、スマートフォンやＰＣ（Personal Computer）である。端末装置１０は、図２に示すように、入力部１１と、表示部１２と、読取部１３と、通信部１４と、記憶部１５と、制御部１６と、を備える。
【００２０】
入力部１１は、例えばタッチパネル等であり、端末装置１０に様々な情報を入力するために使用される。
【００２１】
表示部１２は、例えば液晶ディスプレイ等であり、制御部１６の制御の下、様々な情報を出力する。
【００２２】
読取部１３は、アンテナ、変調回路、復調回路、高周波増幅回路などを備え、近接された記録媒体４０と非接触通信を行う。記録媒体４０はＩＣカードであり、商品購入システムを利用可能なユーザ（会員）に配布される。記録媒体４０には、図３に示すように、記録媒体４０を一意に識別する媒体識別情報（ＩＤ）と、インターネット２０を介してサイト運営サーバ３０にアクセスするためのアクセス情報となるＵＲＬと、が記憶されている。例えば、読取部１３は、非接触通信により、記録媒体４０から媒体記録情報とＵＲＬとを読み出す。
【００２３】
通信部１４は、通信インタフェースを備え、制御部１６の制御の下、インターネット２０を介して、サイト運営サーバ３０とデータ通信を行う。例えば、通信部１４は、記録媒体４０から読み取られたＵＲＬによりサイト運営サーバ３０に接続して、記録媒体４０から読み取られたＵＲＬをサイト運営サーバ３０に送信する送信部として機能する。
【００２４】
記憶部１５は、例えば、フラッシュメモリであり、端末装置１０が動作するために必要な各種のデータを記憶する。例えば、記憶部１５には、商品購入サービスを利用するためのアプリを起動するためのアプリケーションプログラム１５１が格納されている。
【００２５】
制御部１６は、ＣＰＵ（Central Processing Unit）、ＲＯＭ（Read Only Memory）、ＲＡＭ（Random Access Memory）等（何れも図示せず）を備え、ＣＰＵが、ＲＡＭをワークメモリとして用い、ＲＯＭや記憶部１５に記憶されている各種プログラムを適宜実行することにより、端末装置１０の全体を制御する。
【００２６】
続いて、サイト運営サーバ３０について説明する。サイト運営サーバ３０は、ショッピングサイトを管理運営するウェブサーバである。サイト運営サーバ３０は、図４に示すように、通信部３１と、記憶部３２と、制御部３３とを備える。
【００２７】
通信部３１は、ＮＩＣ（Network Interface Card）などの通信インタフェースを備える。通信部３１は、制御部３３の制御の下、インターネット２０を介して、端末装置１０と通信する。例えば、通信部３１は、端末装置１０から媒体識別情報を受信する。
【００２８】
記憶部３２は、ハードディスクドライブ等から構成され、サイト運営サーバ３０が動作するために必要なプログラムや各種のデータを記憶する。例えば、記憶部３２は、会員ＤＢ（データベース）３２１と商品ＤＢ３２２と注文ＤＢ３２３とを備える。
【００２９】
会員ＤＢ３２１には、ショッピングサイトを利用可能な各会員に関する情報が格納される。具体的には、図５に示すように、会員ＤＢ３２１には、会員であるユーザ毎に、ユーザに配布された記録媒体４０の媒体識別情報、氏名、住所、使用言語、決済方法、興味、帰国便情報等を示す情報が格納されている。なお、ユーザの氏名、住所、使用言語、決済方法、興味、帰国便情報等を記録媒体４０に格納してもよい。
【００３０】
なお、決済方法は、購入した商品の決済をどのようにして行うかを示す情報であり、「クレジット決済」、「口座引き落とし」、「代金引換」、「電子マネー」などの種類を有する。また、決済方法が「クレジット決済」の場合はクレジット番号、「口座引き落とし」の場合は口座番号等も登録される。また、決済方法が「電子マネー」の場合は、この記録媒体４０自体が電子マネー機能を有していてもよく、この場合は、記録媒体４０に所定の金額がチャージされている。
【００３１】
なお、興味は、ユーザが関心を持っている分野を示す情報であり、ユーザによって登録される。また、サイト運営サーバ３０の制御部３３が、購入履歴に基づいてユーザが関心を持っている分野を判別し、会員ＤＢ３２１の興味を自動的に設定してもよい。
【００３２】
なお、帰国便情報は、ユーザが予定している海外旅行の帰国便に関する情報である。帰国便情報には、出発空港名、出発時刻、到着空港名、到着時刻等を示す情報が含まれる。
【００３３】
図４に戻り、商品ＤＢ３２２には、商品購入システムで取り扱う各商品の商品名、商品画像、在庫数、価格、送料等を示すデータが格納されている。また、注文ＤＢ３２３には、端末装置１０から受け付けた商品の注文内容を示す注文データが格納される。
【００３４】
制御部３３は、ＣＰＵ（Central Processing Unit）、ＲＯＭ（Read Only Memory）、ＲＡＭ（Random Access Memory）等（何れも図示せず）を備え、ＣＰＵが、ＲＡＭをワークメモリとして用い、ＲＯＭや記憶部３２に記憶されている各種プログラムを適宜実行することにより、サイト運営サーバ３０の各部を制御する。また、制御部３３は、機能的な構成として、表示内容決定部３３１と、サイト提供部３３２と、配送部３３３と、決済部３３４と、を備える。
【００３５】
表示内容決定部３３１は、端末装置１０から受信した媒体識別情報に基づいてショッピングサイトの表示内容を決定する。
【００３６】
サイト提供部３３２は、表示内容決定部３３１により決定された表示内容のショッピングサイトを端末装置１０に提供する。具体的には、サイト提供部３３２は、端末装置１０からの要求に応じて、決定された表示内容のショッピングサイトの画面の画面データを端末装置１０に送信する。
【００３７】
配送部３３３は、ショッピングサイトから購入された商品を、受信した媒体識別情報に基づいて特定した配送先に配送するための処理を実行する。具体的には、配送部３３３は、配送先への商品の配送を指示する通知を、インターネット２０を介して、配送システム７０に送信する。
【００３８】
決済部３３４は、ショッピングサイトで購入された商品を、受信した媒体識別情報から特定した決済方法で決済するための処理を実行する。具体的には、決済部３３４は、特定した決済方法で決済することを指示する通知を、インターネット２０を介して、決済システム６０に送信する。
【００３９】
続いて、商品購入システム１の動作について図６のフローチャートを用いて説明する。なお、事前の会員登録処理により、ユーザは会員登録されており、住所、氏名、興味、決済方法等の各種の情報が会員ＤＢ３２１又は記録媒体４０に登録されているとともに、郵送などでユーザに記録媒体４０が配布されている。さらに、海外旅行を予定している場合、ユーザは、端末装置１０や電話等で帰国便情報をサイト運営サーバ３０に通知し、通知した帰国便情報が会員ＤＢ３２１に登録されている。
【００４０】
ユーザは、端末装置１０の入力部１１から所定の操作を行い、当該操作に応答して制御部１６は、記憶部１５に格納されているアプリケーションプログラム１５１を実行して、商品購入用のアプリを起動させる（ステップＳ１０１）。アプリが起動すると、端末装置１０の表示部１２には「会員カードをかざして下さい。」等のメッセージが表示される。
【００４１】
ユーザはこのメッセージに従い、自分の記録媒体４０を端末装置１０に近接させる。読取部１３は、非接触通信により、記録媒体４０からＵＲＬと媒体識別情報を読み取る（Ｓ１０２）。なお、記録媒体４０にユーザの氏名や住所等の情報が格納されている場合、読取部１３はこれらの情報も読み取る。
【００４２】
続いて、端末装置１０の制御部１６は、読み取ったＵＲＬでサイト運営サーバ３０にアクセスして、読み取った媒体識別情報をサイト運営サーバ３０に送信する（ステップＳ１０３）。
【００４３】
媒体識別情報を受信すると、サイト運営サーバ３０の制御部３３は、当該媒体識別情報に基づいて、端末装置１０に表示させるショッピングサイトの表示内容を決定する（ステップＳ１０４）。
【００４４】
具体的には、制御部３３は、受信した媒体識別情報を有する会員ＤＢ３２１のレコードを特定する。そして、制御部３３は、特定したレコードに含まれるユーザの使用言語と興味とに基づいて、ショッピングサイトの表示内容を決定すればよい。例えば、制御部３３は、ユーザの使用言語が「英語」であればショッピングサイトの表記や音声を英語にすることを決定する。また、制御部３３は、ユーザの興味が「ゲーム」であれば、ショッピングサイトのお勧め商品欄に売れ筋のゲームに関する情報を表示することを決定する。
【００４５】
続いて、制御部３３は、表示内容が決定したショッピングサイトの画面データを端末装置１０に送信する（ステップＳ１０５）。これにより、端末装置１０の表示部１２には、図７に示すようなショッピングサイトの画面（商品検索画面）が表示される（ステップＳ１０６）。この商品検索画面は、ステップＳ１０４で決定された表示内容が反映されている。
【００４６】
続いて、ユーザは、端末装置１０の入力部１１を操作して、商品検索画面の検索エリアＥ１から商品を検索したり、お勧め商品欄Ｅ２に表示されている商品を選択したりする等して、図８に示すような商品購入画面を表示させる。ユーザは、入力部１１を操作して、商品購入画面の配送先指定エリアＥ３から配送先を選択した後、「購入」ボタンＥ４をクリックする。この操作に応答して制御部１６は、商品購入要求をサイト運営サーバ３０に送信する（ステップＳ１０７）。なお、商品購入要求には、配送先指定エリアＥ３の選択内容も含まれている。
【００４７】
商品購入要求を受信すると、サイト運営サーバ３０の制御部３３は、購入された商品を指定された配送先に配送するための配送処理を実行する（ステップＳ１０８）。
【００４８】
例えば、商品購入画面の配送先指定エリアＥ３から「自宅に配送」が選択された場合、制御部３３は、端末装置１０から受信した媒体識別情報を有する会員ＤＢ３２１のレコードを特定し、当該レコードからユーザの住所を取得する。そして、制御部３３は、取得した住所宛へ購入した商品を配送するよう指示する配送要求を配送システム７０に送信すればよい。
【００４９】
また、例えば、商品購入画面の配送先指定エリアＥ３から「帰国便配送」が選択された場合、制御部３３は、端末装置１０から受信した媒体識別情報を有する会員ＤＢ３２１のレコードを特定し、当該レコードから帰国便情報を取得する。そして、制御部３３は、取得した帰国便情報を参照して、購入された商品が帰国便の出発予定時間の所定時間前（例えば、３時間前）に空港に到着するように指示する配送要求を配送システム７０に送信すればよい。
【００５０】
また、例えば、商品購入画面の配送先指定エリアＥ３から「直接入力」が選択された場合、制御部３３は、商品購入画面から入力された住所宛に購入された商品を配送するよう指示する配送要求を配送システム７０に送信すればよい。
【００５１】
商品を配送するための処理が終了すると、サイト運営サーバ３０の制御部３３は、購入された商品を決済するための決済処理を実行する（ステップＳ１０９）。
【００５２】
具体的には、制御部３３は、受信した媒体識別情報を有する会員ＤＢ３２１のレコードを特定する。そして、制御部３３は、特定したレコードに含まれる決済方法により、決済処理を行えばよい。
【００５３】
例えば、決済方法がクレジット決済であれば、制御部３３は、対応するクレジット会社の決済システム６０に決済依頼を送信する。なお、この決済依頼には、ユーザのクレジット番号等の決済に必要な情報が含まれている。なお、このような仕組みを用いないでクレジット決済を行なってもよいが、この場合は、クレジット番号を事前にショッピングサイトに登録しておいたり、ユーザが入力部１１を操作してショッピングサイトの画面上からクレジット番号を入力する必要があり、登録又は入力したクレジット番号が第三者に流出したり、サイト運営者が、登録又は入力されたクレジット番号を悪用して、他の商品の購入や予約などに利用されてしまう危険性がある。また、大手サイトの中には、クレジット番号を登録する仕組みがあるが、登録されたクレジット番号が外部に漏洩した場合、漏洩したクレジット番号を用いて第三者が容易に買い物やサービスを受けることができてしまう虞もある。
そこで、この記録媒体４０（ＩＣカード）に電子マネー機能を付与して（あるいは元々電子マネー機能が付与されている記録媒体４０を用いて）決済すれば、その場に記録媒体４０が無ければ決済できない為、単にクレジット番号等を知っただけでは不正利用することが難しくなり、より安全に決済することが可能となる。
なお、ショッピングサイトアクセス用のアプリ（アプリケーションプログラム１５１）と同一のアプリにこの電子マネー決済の仕組み（プログラム）を含ませても良いし、電子マネー決済専用の別のアプリを用いてもよい。なお、後者の場合は、ショッピングサイト側にクレジット情報等を知られずに済むため、不正利用の可能性をより少なくすることができる。
さらに、ショッピングサイトで購入した商品を電子マネーで決済する場合に、サイト運営サーバ３０の決済部３３４が、この電子マネーの種類を判別し、適合する決済サイト（決済システム６０）に端末装置１０を自動的にアクセスさせるようにしてもよい。例えば、決済部３３４は、スイカ（登録商標）を利用した決済の場合、スイカ（登録商標）用の決済サイトのＵＲＬを端末装置１０に送信して、端末装置１０をこの決済サイトにアクセスさせてもよい。若しくは、決済部３３４は、一旦決済代行サイト等に端末装置１０をアクセスさせた後、この決済代行サイト等を経由して適合する決済サイトに端末装置１０をアクセスさせてもよい。
【００５４】
決済処理が終了すると、商品購入システム１の処理は終了する。
【００５５】
このように、本実施形態によれば、ショッピングサイトを利用したいユーザは、自分の記録媒体４０を端末装置１０にかざすだけでショッピングサイトの画面を表示部１２に表示させることができる。そのため、ＵＲＬ等を入力する必要が無く、ユーザは容易に商品購入サービスを利用することができる。
【００５６】
また、本実施形態によれば、記録媒体４０をかざした際に表示されるショッピングサイトには、ユーザの属性（言語や興味等）が反映された内容が表示されるため、ユーザの利便性を向上させることができる。
【００５７】
また、本実施形態によれば、ユーザがショッピングサイトから購入した商品は、媒体識別情報に紐付けられている住所等に自動的に配送されるため、ユーザは商品の配送先の住所等を入力する必要がなく、ユーザの操作負担をさらに軽減することができる。
【００５８】
さらに、本実施形態によれば、帰国便情報を予め登録しておくだけで、帰国便が離陸する空港宛に帰国日に合わせて商品を配送することができるため、ユーザは、海外旅行中に買った土産物等を持たずに観光等することが可能となる。
【００５９】
また、本実施形態によれば、ユーザがショッピングサイトから購入した商品の決済は、媒体識別情報に紐付けられている決済方法により自動的に実行されるため、ユーザの操作負担をさらに軽減することができ、且つ、決済の安全性をより向上させることができる。
【００６０】
（実施形態２）
続いて、本発明の実施形態２に係る商品購入システム２について説明する。商品購入システム２の構成を図９に示す。実施形態１に係る商品購入システム１（図１）と比較して、実施形態２では、それぞれが異なるショッピングサイトを運営する複数のサイト運営サーバ３０（３０Ａ、３０Ｂ、３０Ｃ・・）を備える。また、インターネット２０と各サイト運営サーバ３０（３０Ａ、３０Ｂ、３０Ｃ・・）との間に中継サーバ８０が設けられている。
【００６１】
また、実施形態２では、記録媒体４０は、それぞれのショッピングサイトに応じて、専用のものが用意されている。記録媒体４０には、図１０に示すように、対応するショッピングサイト（サイト運営サーバ３０）を特定するためのサイト特定情報が記憶されている。なお、記録媒体４０に格納されているＵＲＬは、中継サーバ８０にアクセスするためのＵＲＬで固定されている。従って、商品購入処理で近接された記録媒体４０に格納されているＵＲＬを読み取った端末装置１０は、必ず中継サーバ８０にアクセスし、記憶媒体４０から読み取った媒体識別情報とサイト特定情報とを中継サーバ８０に送信する。
【００６２】
中継サーバ８０は、受信したサイト特定情報より、ユーザが利用したいショッピングサイトのサイト運営サーバ３０を特定し、特定したサイト運営サーバ３０に受信した媒体識別情報を送信する。
【００６３】
サイト運営サーバ３０は、実施形態１と同様に、受信した媒体識別情報に基づいてサイトの表示内容を決定する。そして、サイト運営サーバ３０は、表示内容が決定したショッピングサイトの画面データを、中継サーバ８０を介して、端末装置１０に送信し、端末装置１０の表示部１２にはショッピングサイトの画面が表示される。
【００６４】
このように、本実施形態によれば、利用可能なショッピングサイトが複数ある場合でも、中継サーバ８０を設けることにより、端末装置１０に利用したショッピングサイトの記録媒体４０をかざすだけで、所望のショッピングサイトの画面を端末装置１０に表示させることができる。
【００６５】
（変形例）
なお、本発明は、上記各実施形態に限定されず、本発明の要旨を逸脱しない部分での種々の修正は勿論可能である。
【００６６】
例えば、記録媒体４０に複数のＵＲＬを記憶させておく。そして、端末装置１０にこの記録媒体４０を近接させて複数のＵＲＬを読み取った後、複数のＵＲＬの中からユーザに１つを選択させ、選択させたＵＲＬ先のサイト運営サーバ３０に媒体識別情報を送信して、以下同様の処理を行ってもよい。このようにすることで、最初にユーザに所望のサービスを選択してもらうことができるため、ユーザの利便性をより向上させることが可能となる。
【００６７】
また、上記各実施形態では、海外旅行の帰国便の離陸時間に間に合うように空港に商品が配送される例を示したが、船旅であれば、帰りの船が出港する港に商品が配送されるようにしてもよい。また、例えば、国内旅行の帰りに利用する新幹線等に関する情報を帰国便情報と同様に会員ＤＢ３２１に登録しておき、海外旅行と同様に、帰りの新幹線が出発する所定時間前に購入した商品が出発駅に配送されるようにしてもよい。あるいは、ユーザの帰宅時間に合わせて自宅に商品を配送したり、ユーザが帰港する日時に合わせて帰港する港に商品を配送したり、ユーザが帰航する日時に合わせて帰航する空港に商品を配送してもよい。同様に、旅行の最終日にユーザが宿泊する施設（ホテルや旅館等）や指定した場所に届けてもよい。なお、この場合は、最終日に宿泊する施設に関する情報を予めサイト運営サーバ３０に登録しておく方法の他、旅行会社が提供するシステム（例えば、宿泊予約システム）や、ユーザ自身のＳＮＳ（Social Network Service）等に記載された旅行日程等と連携し、これらから情報を取得してもよい。
【００６８】
また、上記各実施形態では、記録媒体４０に記憶されているＵＲＬによりサイト運営サーバ３０にアクセスしたが、メールアドレスや他の情報を用いてサイト運営サーバ３０にアクセスしてもよい。
【００６９】
また、上記各実施形態では、端末装置１０は、非接触通信により、記録媒体４０から情報を読み取ったが、他の手法で記録媒体４０から情報を読み取ってもよい。例えば、記録媒体４０に印刷されたＱＲコード（登録商標）等の２次元コードにＵＲＬと媒体識別情報を記憶させておく。そして、端末装置１０は、内蔵されたカメラ等で記録媒体４０の２次元コードを読み取ることで、ＵＲＬと媒体識別情報を取得してもよい。なお、このＱＲコード（登録商標）には、ユーザの興味を示す情報や帰国便に関する情報等を含ませてもよい。
【００７０】
例えば、本実施形態に係るサイト運営サーバ３０の動作を規定する動作プログラムを既存のパーソナルコンピュータや情報端末機器等に適用することで、当該パーソナルコンピュータ等を本発明に係るサイト運営サーバ３０として機能させることも可能である。
【００７１】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【符号の説明】
【００７２】
１，２  商品購入システム、１０  端末装置、１１  入力部、１２  表示部、１３  読取部、１４  通信部、１５  記憶部、１５１  アプリケーションプログラム、１６  制御部、１７、２０  インターネット、３０  サイト運営サーバ、３１  通信部、３２  記憶部、３２１  会員ＤＢ、３２２  商品ＤＢ、３２３  注文ＤＢ、３３  制御部、３３１  表示内容決定部、３３２  サイト提供部、３３３  配送部、３３４  決済部、４０  記録媒体、５０  店舗システム、６０  決済システム、７０  配送システム、８０  中継サーバ
【図１】
2018147291.tif 000003
【図２】
2018147291.tif 000004
【図３】
2018147291.tif 000005
【図４】
2018147291.tif 000006
【図５】
2018147291.tif 000007
【図６】
2018147291.tif 000008
【図７】
2018147291.tif 000009
【図８】
2018147291.tif 000010
【図９】
2018147291.tif 000011
【図１０】
2018147291.tif 000012